(57)【要約】【課題】第１の機器と受信機との接続に第１の機器用電源装置を介さず、第１の機器との間の配線が断線した旨の警報が不要である場合に、当該配線が断線した旨の警報の発生を遮断する第１の機器用電源装置及びその第１の機器用電源装置を備える警報システムを提供する。【解決手段】第１の機器用電源装置は、第１の機器に電源を供給し、第１の機器と受信機との間に介在させて、第１の機器からの信号を受信機に中継することが可能な第１の機器用電源装置において、第１の機器に第１の配線を介して接続可能な一対の第１の端子と、受信機に受信配線を介して接続可能な受信端子と、受信端子に接続されて受信配線の断線を監視する受信断線監視回路と、受信断線監視回路において受信配線の非接続が確認された場合に第１の端子間に接続される疑似終端抵抗と、を備える。【選択図】図２
2019125392.tif 000002
【特許請求の範囲】
【請求項１】
第１の機器に電源を供給し、前記第１の機器と受信機との間に介在させて、前記第１の機器からの信号を前記受信機に中継することが可能な第１の機器用電源装置において、
前記第１の機器に第１の配線を介して接続可能な一対の第１の端子と、
前記受信機に受信配線を介して接続可能な受信端子と、
前記受信端子に接続されて前記受信配線の断線を監視する受信断線監視回路と、
前記受信断線監視回路において前記受信配線の非接続が確認された場合に前記第１の端子間に接続される疑似終端抵抗と、
を備えることを特徴とする第１の機器用電源装置。
【請求項２】
前記第１の端子に接続されて前記第１の配線の断線を監視する第１の配線用断線監視回路と、
前記第１の配線用断線監視回路において前記第１の配線の断線が確認された場合に第１の配線の断線警報を出力する第１の警報部と、
を更に備えることを特徴とする請求項１記載の第１の機器用電源装置。
【請求項３】
前記第１の機器と、
前記受信機と、
請求項１又は２記載の第１の機器用電源装置と、を備え、
前記受信機は、
前記受信配線の断線が確認された場合に受信断線警報を出力する受信警報部を有する
ことを特徴とする警報システム。
【発明の詳細な説明】
【技術分野】
【０００１】
本発明は、第１の機器に電源を供給する第１の機器用電源装置及びその第１の機器用電源装置を備える警報システムに関する。
【背景技術】
【０００２】
従来、無線式感知器と受信機とを中継する無線式中継器が知られている。特許文献１には、このような無線式中継器（無線受信用中継器）を備える防災監視システムが開示されている。特許文献１において、無線式中継器は、受信機から電源線によって直流電力の供給を受けている。
【０００３】
また、そのほかに、無線式中継器の電源として、別途、無線式中継器用電源装置が設けられた警報システムも知られている。この場合、無線式中継器用電源装置は、無線式中継器と受信機との間に介在し、無線式中継器からの信号を受信機に中継する機能を有している場合がある。この場合、無線式中継器用電源装置と無線式中継器とは、電源線で接続される一方、無線式中継器用電源装置を介して、無線式中継器と受信機とは、例えば配線（信号線）で接続されている。しかし、このような無線式中継器用電源装置を用いながら、無線式中継器と受信機とを、無線式中継器用電源装置を介さずに配線で直接接続する場合もある。
【０００４】
なお、無線式中継器との間の配線には、無線式中継器との間の配線の断線を監視することを目的として、当該配線の末端に終端抵抗が接続されている。無線式中継器用電源装置には、当該配線の断線を監視する回路が設けられており、この回路は、当該配線に流れる終端抵抗に基づく微弱電流を検出し、当該微弱電流が流れなくなったことを検出すると、当該配線が断線したと判断する。このようにして、回路は、無線式中継器との間の配線の断線を監視している。そして、当該配線の断線が確認されると、当該配線が断線した旨の警報が出力される。
【先行技術文献】
【特許文献】
【０００５】
【特許文献１】特開２０１１−９６１６９号公報
【発明の概要】
【発明が解決しようとする課題】
【０００６】
しかしながら、無線式中継器と受信機とを、無線式中継器用電源装置を介さずに直接配線で接続する場合、無線式中継器と無線式中継器用電源装置とが配線で接続されていないため、微弱電流を検出できず、当該配線の断線を監視する回路が、当該配線が断線したと判断してしまう。このため、無線式中継器と受信機とを直接配線で接続しているため、本来断線ではないので、無線式中継器との間の配線が断線した旨の警報が不要であるにもかかわらず、警報が出力されてしまう。
【０００７】
本発明は、上記のような課題を解決するためになされたもので、第１の機器と受信機との接続に第１の機器用電源装置を介さず、第１の機器との間の配線が断線した旨の警報が不要である場合に、当該配線が断線した旨の警報の発生を遮断する第１の機器用電源装置及びその第１の機器用電源装置を備える警報システムを提供するものである。
【課題を解決するための手段】
【０００８】
本発明に係る第１の機器用電源装置は、第１の機器に電源を供給し、第１の機器と受信機との間に介在させて、第１の機器からの信号を受信機に中継することが可能な第１の機器用電源装置において、第１の機器に第１の配線を介して接続可能な一対の第１の端子と、受信機に受信配線を介して接続可能な受信端子と、受信端子に接続されて受信配線の断線を監視する受信断線監視回路と、受信断線監視回路において受信配線の非接続が確認された場合に第１の端子間に接続される疑似終端抵抗と、を備えることを特徴とする。
【発明の効果】
【０００９】
本発明によれば、疑似終端抵抗が、受信断線監視回路において受信配線の断線（非接続）が確認された場合に第１の端子間に接続される。このため、第１の機器用電源装置は、第１の配線が断線しても（第１の配線が非接続でも）、第１の配線の断線警報の発生を遮断することができる。従って、第１の機器と受信機とを、第１の機器用電源装置を介さずに直接配線で接続する形態等、第１の機器との間の配線（第１の配線）が断線した旨の警報が不要である場合に、当該配線が断線した旨の警報の発生を遮断することができる。
【図面の簡単な説明】
【００１０】
【図１】本発明の実施の形態１に係る警報システム２を示すブロック図である。
【図２】本発明の実施の形態１に係る無線式中継器用電源装置１を示すブロック図である。
【図３】本発明の実施の形態１に係る警報システム２を示すブロック図である。
【発明を実施するための形態】
【００１１】
以下、本発明に係る無線式中継器用電源装置１及び警報システム２の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１２】
実施の形態１．
図１は、本発明の実施の形態１に係る警報システム２を示すブロック図である。この図１に基づいて、警報システム２について説明する。図１に示すように、警報システム２は、無線式感知器３と、無線式中継器４と、受信機５と、無線式中継器用電源装置１とを備えている。無線式感知器３は、例えば煙等を感知する火災感知器である。無線式感知器３は、受信機５に有線で直接接続されてはおらず、無線式中継器４を介して、無線で火災信号等の送受信が行われる。
【００１３】
無線式中継器４は、無線式感知器３との間で信号の送受信を無線で行い、無線式感知器３から受信した信号を受信機５に配線を通じて送信するものである。なお、本実施の形態１では、無線式中継器４は、無線式中継器用電源装置１を介して、信号を受信機５に送信する。
【００１４】
受信機５は、無線式中継器４から受信した信号に基づいて、火災警報等の報知を行うものである。なお、本実施の形態１では、受信機５は、無線式中継器用電源装置１を介して、無線式中継器４からの信号を受信する。受信機５は、例えば１００Ｖの交流電源が入力されている。なお、受信機５は、火災等の報知用中継器としてもよい。
【００１５】
無線式中継器用電源装置１は、無線式中継器４に電源を供給し、無線式中継器４と受信機５との間に介在させて、無線式中継器４からの信号を受信機５に中継するものである。無線式中継器用電源装置１は、例えば１００Ｖの交流電源が入力されており、そのほかに、予備電源１４も接続されている。ここで、無線式中継器用電源装置１は、更に、電源電圧監視回路（図示せず）を有している。電源電圧監視回路は、例えば交流電源が入力される電源回路２６（図２）に接続されており、電源回路２６から出力される電圧を測定している。通常時、無線式中継器用電源装置１は、交流電源に基づく電源供給によって駆動されている。電源電圧監視回路によって測定された電圧が所定電圧を下回った場合、無線式中継器用電源装置１は、交流電源に基づく電源供給が停止したと判断され、交流電源による駆動から予備電源１４による駆動に切り替えられる。これにより、無線式中継器用電源装置１は、予備電源１４によって駆動される。
【００１６】
無線式中継器用電源装置１と無線式中継器４とは、一対の電源線１３によって接続されており、無線式中継器用電源装置１は、電源線１３を用いて、無線式中継器４に電源を供給する。また、無線式中継器用電源装置１と無線式中継器４とは、一対の中継配線１１によって接続されており、無線式中継器用電源装置１は、中継配線１１を用いて、無線式中継器４との間で信号の送受信を行う。この信号は、例えば無線式中継器４が無線式感知器３から受信した火災信号等である。
【００１７】
更に、無線式中継器用電源装置１と受信機５とは、一対の受信配線１２によって接続されており、無線式中継器用電源装置１は、受信配線１２を用いて、受信機５との間で信号の送受信を行う。この信号は、例えば無線式中継器用電源装置１が無線式中継器４から受信した火災信号等である。そして、無線式中継器用電源装置１は、各種の異常情報を外部機器に移報する機能を有している。
【００１８】
なお、無線式感知器３は、煙等により火災を検出すると火災信号を送信する。
【００１９】
また、無線式中継器４は、図示しないが、常時は開の第１のスイッチング素子と発報電流調整用の抵抗（例えば１００Ω）とが直列接続されて、図３に示す中継配線１１間（後述する中継終端抵抗１５）に並列に接続されたスイッチング回路を備えている。このスイッチング回路は、無線式中継器用電源装置１のスイッチング回路（後述する）と同様の構成である。そして、無線式中継器４は、無線式感知器３から火災信号を受信すると、第１のスイッチング素子を閉じることによりスイッチング回路を動作させて、火災情報（火災信号）として、発報電流調整用の抵抗に基づく略短絡電流を中継配線１１に流すように動作する。
【００２０】
図２は、本発明の実施の形態１に係る無線式中継器用電源装置１を示すブロック図である。図２に示すように、無線式中継器用電源装置１は、一対の中継端子２１と、一対の受信端子２２と、受信断線監視回路２３と、疑似終端抵抗２４とを備えている。更に、無線式中継器用電源装置１は、中継断線監視回路２５と、電源回路２６と、制御回路２７と、電源端子２８と、終端端子２９と、ＬＥＤ３１と、配線端子台３２とを備えている。
【００２１】
中継端子２１は、無線式中継器４に中継配線１１を介して接続されるものである。受信端子２２は、受信機５に受信配線１２を介して接続されるものである。受信断線監視回路２３は、受信端子２２に接続されて受信配線１２の断線（及び／又は非接続）を監視するものである。受信断線監視回路２３は、自身（フォトカプラ）に流れる電流の有無により受信配線１２の断線（及び／又は非接続）を判断し、電流が流れていないと受信配線１２が断線（及び／又は非接続）であると判断する。
【００２２】
疑似終端抵抗２４は、受信断線監視回路２３において受信配線１２の断線（及び／又は非接続）が確認された場合に中継端子２１間に接続されるものである。この疑似終端抵抗２４は、中継端子２１間に接続されることにより、無線式中継器４に接続された中継終端抵抗１５（後述する）の代わりに、終端抵抗として擬制されるものである。疑似終端抵抗２４は、例えば１０ｋΩである。なお、疑似終端抵抗２４には、常時は開の第１のスイッチング素子４１が直列に接続されている。
【００２３】
中継断線監視回路２５は、中継端子２１間に接続されて中継配線１１の断線を監視するものである。なお、無線式中継器４には、中継配線１１の末端に接続された断線検出用の中継終端抵抗１５が接続されており、例えば１０ｋΩである。中継断線監視回路２５は、中継配線１１に流れる中継終端抵抗１５に基づく微弱電流を検出し、当該微弱電流が流れなくなったことを検出すると、中継配線１１が断線であると判断する。このようにして、中継断線監視回路２５は、中継配線１１の断線を監視している。そして、中継配線１１の断線が確認されると、中継配線１１が断線した旨の中継断線警報（後述する）が出力される。
【００２４】
また、中継断線監視回路２５は、無線式中継器４から受信した火災信号等を検出して、制御回路２７に送信する機能も有している。ここで、中継断線監視回路２５は、無線式中継器４のスイッチング動作に基づく中継配線１１に流れる略短絡電流を検出し、当該略短絡電流が流れていると判断すると、火災信号を検出したと判断する。
【００２５】
なお、火災信号を検出する回路を中継火災監視回路として、中継断線監視回路２５とは別に設けるようにしてもよい。
【００２６】
電源回路２６は、交流電源から供給された電力を変圧器で変圧した後の電力が入力されるものであり、この電力を所定の電力に変換して、中継断線監視回路２５及び制御回路２７に出力する。なお、中継断線監視回路２５及び制御回路２７は、予備電源１４からも電力が供給されるように構成されている。制御回路２７は、中継断線監視回路２５から受信した信号に基づいて、異常情報又は火災情報を受信機５に送信するものである。また、制御回路２７は、その異常情報又は火災情報をＬＥＤ３１に送信する。一対の電源端子２８は、無線式中継器４に電源線１３を介して接続されるものである。なお、電源端子２８には、ヒューズが取り付けられている。また、無線式中継器用電源装置１には盤面スイッチ１４ａが設けられており、盤面スイッチ１４ａが押下されると、電池試験回路１４ｂが駆動して、予備電源１４の電圧試験が行われる。
【００２７】
一対の終端端子２９は、受信機５による受信配線１２の断線検出用の終端器１６が接続されるものである。なお、終端器１６は、終端抵抗としてもよく、抵抗値は、中継終端抵抗１５、疑似終端抵抗２４と同様としてもよく、例えば１０ｋΩである。
【００２８】
終端器１６（終端端子２９）と受信配線１２（受信端子２２）との間には、前述の受信断線監視回路２３と、断線出力回路としての第２のスイッチング素子４２と、スイッチング回路としての第３のスイッチング素子４３と、抵抗４４とを備える。
【００２９】
なお、受信断線監視回路２３と第２のスイッチング素子４２と第３のスイッチング素子４３とが実装されている部分は、それ以外の部分と絶縁されている。
【００３０】
中継断線監視回路２５が中継配線１１の断線を確認すると、中継断線監視回路２５は、その異常情報（断線情報）を制御回路２７に送信する。そして、制御回路２７は、異常情報の場合に、終端器１６に直列接続された常時は閉の第２のスイッチング素子４２を開く。これにより、異常情報が受信機５に送信される。つまり、異常情報として、受信配線１２を断線させて、受信配線１２に終端器１６に基づく微弱電流を流さなくする。このとき、中継配線１１が断線した旨の中継断線警報（後述する）が出力される。
【００３１】
また、中継断線監視回路２５が無線式中継器４から火災信号等を受信すると、中継断線監視回路２５は、その火災情報を制御回路２７に送信する。そして、制御回路２７は、火災情報の場合に、終端器１６に並列接続された常時は開の第３のスイッチング素子４３を閉じて、スイッチング回路をスイッチング動作させる。これにより、火災情報が受信機５に送信される。なお、第３のスイッチング素子４３には、終端器１６よりも小さい抵抗値である発報電流調整用の抵抗４４が直列に接続されており、これにより、火災情報として、受信配線１２には、終端器１６に基づく微弱電流よりも大きい略短絡電流が流れる。
【００３２】
表示手段としてのＬＥＤ３１は、各情報を表示するものであり、火災灯及び断線灯を有している。火災灯は、火災のときに表示されるものである。断線灯は、断線のときに表示されるものであり、中継断線警報の一例である。
【００３３】
配線端子台３２は、中継端子２１、受信端子２２、電源端子２８及び終端端子２９が設けられた端子台である。
【００３４】
次に、図１において、受信機５は、受信配線１２の断線が確認された場合に受信断線警報を出力する受信警報部（図示せず）と、受信配線１２に接続されて、受信配線１２の断線を監視する監視回路（図示せず）とを有する。監視回路は、受信配線１２に流れる終端器１６に基づく微弱電流を検出し、当該微弱電流が流れなくなったことを検出すると、受信配線１２が断線であると判断する。このようにして、監視回路は、受信配線１２の断線を監視している。そして、受信配線１２の断線が確認されると、受信警報部は、受信配線１２が断線した旨の受信断線警報を出力する。
【００３５】
なお、無線式中継器用電源装置１において、中継断線監視回路２５が中継配線１１の断線を確認すると、制御回路２７が断線出力回路を動作（第２のスイッチング素子４２を開く）させて受信配線１２を断線させることから、実質的には、監視回路は、中継配線１１又は受信配線１２の断線を監視し、受信警報部は、中継配線１１又は受信配線１２が断線した旨の受信断線警報を出力するともいえる。つまり、受信機５は、断線警報として、無線式中継器４と受信機５との間の配線（中継配線１１及び／又は受信配線１２）が断線した旨の受信断線警報を出力するものといえる。
【００３６】
また、受信機５は、前述の監視回路（図示せず）が、無線式中継器用電源装置１のスイッチング動作に基づく略短絡電流を検出すると、火災情報を受信したと判断する。そして、前述の受信警報部（図示せず）が、受信火災警報を出力する。
【００３７】
なお、受信機５は、監視回路として、火災情報を検出する回路を火災監視回路と、受信配線１２の断線を監視する回路を断線監視回路とを別個に設けてもよい。
【００３８】
次に、無線式中継器用電源装置１等の動作について説明する。先ず、火災等が発生した場合の動作について説明する。中継断線監視回路２５が、無線式中継器４のスイッチング動作に基づく略短絡電流を検出することにより、無線式中継器４から火災信号等を受信すると、中継断線監視回路２５は、その火災情報を制御回路２７に送信する。そして、制御回路２７は、火災情報の場合に、第３のスイッチング素子４３を閉じる。これにより、火災情報が受信機５に送信される。また、制御回路２７は、ＬＥＤ３１の火災灯によって火災表示を行う。
【００３９】
一方、受信機５は、監視回路（図示せず）が、無線式中継器用電源装置１のスイッチング動作に基づく略短絡電流を検出すると、火災情報を受信したと判断する。そして、受信警報部（図示せず）が、受信火災警報を出力する。
【００４０】
次に、中継配線１１が断線した場合の動作について説明する。中継断線監視回路２５は、前述の如く、中継配線１１に流れる中継終端抵抗１５に基づく微弱電流を検出し、当該微弱電流が流れなくなったことを検出すると、中継配線１１が断線であると判断する。中継断線監視回路２５が中継配線１１の断線を確認すると、中継断線監視回路２５は、その異常情報（断線情報）を制御回路２７に送信する。そして、制御回路２７は、異常情報の場合に、第２のスイッチング素子４２を開く。これにより、異常情報が受信機５に送信される。また、制御回路２７は、ＬＥＤ３１の断線灯によって断線表示を行い、中継配線１１が断線した旨の中継断線警報が出力される。
【００４１】
一方、受信機５は、監視回路（図示せず）が、受信配線１２に流れる終端器１６に基づく微弱電流を検出し、当該微弱電流が流れなくなったことを検出すると、受信配線１２が断線であると判断する。そして、受信配線１２の断線が確認されると、受信警報部（図示せず）は、無線式中継器４と受信機５との間の配線（この場合は、中継配線１１）が断線した旨の受信断線警報を出力する。
【００４２】
次に、受信配線１２が断線した場合の動作について説明する。受信配線１２が断線した場合は、受信機５において、監視回路（図示せず）が、受信配線１２に流れる終端器１６に基づく微弱電流を検出し、当該微弱電流が流れなくなったことを検出すると、受信配線１２が断線であると判断する。そして、受信配線１２の断線が確認されると、受信警報部は、無線式中継器４と受信機５との間の配線（この場合は、受信配線１２）が断線した旨の受信断線警報を出力する。
【００４３】
図３は、本発明の実施の形態１に係る警報システム２を示すブロック図である。次に、無線式中継器用電源装置１の作用について説明する。図３に示すように、警報システム２において、無線式中継器４と受信機５とが、無線式中継器用電源装置１を介さずに直接接続される場合がある。例えば、図１の形態から図３の形態に変更される場合、無線式中継器用電源装置１から、中継配線１１及び受信配線１２が取り外される。そして、中継配線１１と受信配線１２とが接続されることによって、無線式中継器４と受信機５とが、無線式中継器用電源装置１を介さずに直接接続される。なお、「中継配線１１と受信配線１２とが接続される」とは、無線式中継器４と受信機５とが、無線式中継器用電源装置１を介さずに直接接続されることを意味し、図１の接続形態の配線を利用するという意味に限らず、その他の配線で直接接続される構成も含まれる。
【００４４】
先ず、中継配線１１が取り外されると、中継断線監視回路２５が中継配線１１の断線（非接続）を検出することによって、中継断線警報が出力される。しかし、その後、受信配線１２が取り外されると、受信断線監視回路２３が受信配線１２の断線（非接続）を検出することによって、中継端子２１間に疑似終端抵抗２４が接続される。このように、中継端子２１間には、中継終端抵抗１５の代わりに、疑似終端抵抗２４が接続される。従って、受信配線１２が取り外されることで、中継断線警報の発生が遮断される。
【００４５】
つまり、受信配線１２が取り外されると、受信断線監視回路２３によって、自身に電流が流れていないことから、受信配線１２が断線（非接続）であると判断されて、中継端子２１間に疑似終端抵抗２４が接続される。そのため、中継断線監視回路２５は、中継終端抵抗１５の代わりに同等の抵抗値である疑似終端抵抗２４に基づく微弱電流を検出できるので、中継配線１１が断線であると判断しない。
【００４６】
このように、本実施の形態１（図３）は、疑似終端抵抗２４が、受信断線監視回路２３において受信配線１２の断線（非接続）が確認された場合に中継端子２１間に接続されて、中継配線１１が断線しても（非接続でも）、中継断線警報の発生が遮断される。このため、無線式中継器４との間の配線（中継配線１１）が断線した旨の警報が不要である場合に、当該配線が断線した旨の警報の発生を遮断することができる。
【００４７】
なお、図３の接続形態において、受信機５は、監視回路（図示せず）が、無線式中継器４のスイッチング動作に基づく略短絡電流を検出すると、火災情報を受信したと判断する。また、受信機５は、監視回路（図示せず）が、無線式中継器４と受信機５との間の配線（受信配線１２）に流れる中継終端抵抗１５に基づく微弱電流を検出し、当該微弱電流が流れなくなったことを検出すると、無線式中継器４と受信機５との間の配線（受信配線１２）が断線であると判断する。
【００４８】
なお、本実施の形態１においては、図３の接続形態において無線式中継器用電源装置１が中継配線１１の断線（非接続）を警報しないようにするために、疑似終端抵抗２４の接続は、受信配線１２の断線（非接続）に基づいて行われる。ここで、仮に、疑似終端抵抗２４の接続が、中継配線１１の断線（非接続）に基づいて行われる場合、図１の接続形態において中継配線１１の断線を報知するという本来の機能が損なわれる。このため、図３の接続形態において疑似終端抵抗２４の接続は、受信配線１２の断線（非接続）に基づいて行われる。一方、図３の場合、無線式中継器４と受信機５とを直接接続した配線（受信配線１２）の断線については、前述の如く、受信機５において、受信機５が有する受信警報部によって受信断線警報が出力される。このため、図３において、無線式中継器４と受信機５とを直接接続した配線（受信配線１２）の断線については、受信機５側で確認することができ、システム全体では、異常（断線）を報知する上で問題ない。
【００４９】
また、従来、無線式中継器と受信機とが、無線式中継器用電源装置を介さずに直接接続される場合、無線式中継器用電源装置に設けられた端子台に、疑似終端抵抗を、別途外付けして、配線が断線した旨の警報が不要である場合に、配線が断線した旨の警報の発生を遮断する技術が知られている。しかし、これでは、無線式中継器用電源装置から無線式中継器及び受信機を取り外そうとする度に、疑似終端抵抗の取り付け作業が必要であり、煩雑である。また、疑似終端抵抗は、無線式中継器用電源装置とは別の部材であるため、疑似終端抵抗を紛失する虞もある。
【００５０】
これに対し、本実施の形態１では、無線式中継器用電源装置１が、疑似終端抵抗２４を備えている。そして、受信配線１２が取り外されると、受信断線監視回路２３によって、中継端子２１間に疑似終端抵抗２４が自動的に接続される。このため、疑似終端抵抗２４を手動で取り付ける作業が不要であり、作業工数を低減することができる。また、疑似終端抵抗２４は、無線式中継器用電源装置１に備わっているため、疑似終端抵抗２４の紛失を防止することもできる。
【００５１】
なお、図１の接続形態において、受信配線１２が断線した場合の動作として、無線式中継器用電源装置１は、受信断線監視回路２３によって、自身に電流が流れていないことから受信配線１２が断線（非接続）であると判断されて、中継端子２１に疑似終端抵抗２４が接続される。そのため、中継断線監視回路２５は、中継終端抵抗１５の代わりに同等の抵抗値である疑似終端抵抗２４に基づく微弱電流を検出する構成となるので、仮に中継配線１１が断線しても、中継配線１１が断線であると判断しない。
【００５２】
しかしながら、受信機５において、監視回路（図示せず）が、受信配線１２に流れる終端器１６に基づく微弱電流が流れなくなったことを検出して、受信配線１２が断線であると判断し、受信警報部が、無線式中継器４と受信機５との間の配線（この場合は、受信配線１２）が断線した旨の受信断線警報を出力する。
【００５３】
このように、受信機５側により、無線式中継器４と受信機５との間のいずれかの配線（中継配線１１又は受信配線１２のいずれか）が断線した旨の受信断線警報を出力するため、その後、速やかに各配線のチェック、及び交換作業が行われることになる。そのため、交換作業までの間、仮に中継配線１１の断線が検出されないとしても、問題とはならない。
【符号の説明】
【００５４】
１  無線式中継器用電源装置、２  警報システム、３  無線式感知器、４  無線式中継器、５  受信機、１１  中継配線、１２  受信配線、１３  電源線、１４  予備電源、１４ａ  盤面スイッチ、１４ｂ  電池試験回路、１５  中継終端抵抗、１６  終端器、２１  中継端子、２２  受信端子、２３  受信断線監視回路、２４  疑似終端抵抗、２５  中継断線監視回路、２６  電源回路、２７  制御回路、２８  電源端子、２９  終端端子、３１  ＬＥＤ、３２  配線端子台、４１  第１のスイッチング素子、４２  第２のスイッチング素子、４３  第３のスイッチング素子、４４  抵抗。
【図１】
2019125392.tif 000003
【図２】
2019125392.tif 000004
【図３】
2019125392.tif 000005